(57)【特許請求の範囲】
【請求項１】
領域を照明するための光源、
前記領域でのロケーション情報を投影するためのポインターデバイス、
コントローラ、及び
前記ロケーション情報を検出するための受信器、
を含む光制御のためのシステムであって、
前記領域の前記ロケーション情報の位置を決定するように構成され、
前記ロケーション情報により、前記領域の照明を制御するように構成され、前記ポインターデバイスにより前記投影された前記ロケーション情報は、前記領域内の前記ロケーション情報の位置を表現するための特定の波長を有する光を備え、
且つ前記受信器は、前記領域内の前記ロケーション情報の位置を判別するための波長フィルターであって、前記特定の波長を検出するための波長フィルターを含む、
光制御のためのシステム。
【請求項２】
前記ロケーション情報は、前記領域の２次元象徴として投影された請求項１によるシステム。
【請求項３】
前記ロケーション情報の前記投影は、２次元図形に従い前記領域の前記ロケーション情報を動かすステップを含み、前記コントローラは、前記ロケーション情報の動きパターンを解釈するように構成された請求項１又は２によるシステム。
【請求項４】
前記光源は、前記領域の下位領域用の照明特性を選択的に変化させるように構成された請求項１乃至３の何れか１によるシステム。
【請求項５】
前記光源は、前記ロケーション情報の位置で前記領域の可視光を投影するように構成された請求項１乃至４の何れか１によるシステム。
【請求項６】
前記ポインターデバイスは、携帯ユニットである請求項１乃至５の何れか１によるシステム。
【請求項７】
前記光源、前記受信器及び前記制御ユニットは、１つのユニットとして組み立てられた請求項１乃至６の何れか１によるシステム。
【請求項８】
前記受信器は、前記照明領域より大きい検出領域を含む請求項１乃至７の何れか１によるシステム。
【請求項９】
前記光源は、光発光ダイオードとその光発光ダイオードの少なくとも１つからの光を案内するための手段を含む請求項１乃至８の何れか１によるシステム。
【請求項１０】
光源により領域を照明するステップ；
ポインターデバイスにより前記領域のロケーション情報を投影するステップ；
前記ロケーション情報を検出するための波長フィルターを含む受信器により前記ロケーション情報を検出するステップであって、前記ポインターデバイスにより前記投影された前記ロケーション情報は、前記領域内の前記ロケーション情報の位置を表現するための特定の波長を有する光を備え、前記領域内の前記ロケーション情報の位置を判別することを目的として前記特定の波長を検出するために前記受信器内の前記波長フィルターが使用される、ステップ；
前記領域の前記ロケーション情報の位置を決定するステップ；及び
前記ロケーション情報により、前記領域の照明を制御するステップ
を含む光制御の方法。
【請求項１１】
前記ロケーション情報は、前記領域の２次元象徴として投影された請求項１０による方法。
【請求項１２】
前記ロケーション情報を投影するステップは、２次元図形に従い前記領域の前記ロケーション情報を動かすステップ、及びコントローラにより、前記ロケーション情報の動きパターンを解釈するステップを含む請求項１０又は１１による方法。
【請求項１３】
前記領域の下位領域用の照明特性を、前記光源により、選択的に変化させるステップを更に含む請求項１０乃至１２の何れか１による方法。
【請求項１４】
前記光源により、前記ロケーション情報の位置で前記領域の可視光を投影するステップを更に含む請求項１０乃至１３の何れか１による方法。
【請求項１５】
請求項１乃至９の何れかによるシステムで使用するためのポインターデバイス。
【発明の詳細な説明】
【技術分野】
【０００１】
本発明は、光制御のためのシステムに関し、領域を照明するための光源及びその領域に関するロケーション情報を投影するためのポインターデバイスを含む。
【背景技術】
【０００２】
発生した光を特定方向に向けることができるＬＥＤ（光発光ダイオード）に基礎を置く光源及び関連システムの導入は、如何に光を発生させるかという点で新しい機会を与える。関連する問題は、ユーザーは如何に光源に特定領域のみ照らすように命令することができるかという事である。
【０００３】
例えば、ＷＯ２００５／０１３６４６は、２つの照明装置と照度比較装置を持つ照明制御システムを開示する。比較装置は、任意の位置での照度を希望する予め定められた照度と比較し、比較結果を照明装置に送る。２つの照明装置は、比較装置から得られた比較結果に従って調整し、任意の位置での照度を制御するために各照明装置の光強度を増減する。この照明制御システムを使うことにより、予め定められた位置の希望照度を設定することが可能である。
【０００４】
しかし、先行技術装置の１つの問題は、ユーザーの光源との相互作用が複雑である事である。
【先行技術文献】
【特許文献】
【０００５】
【特許文献１】ＷＯ２００５／０１３６４６
【発明の概要】
【発明が解決しようとする課題】
【０００６】
本発明の目的は、上記技術及び先行技術の改良を提供する事である。
【０００７】
特定の目的は、光制御のためのシステムのユーザーの友好性を改良する事である。
【課題を解決するための手段】
【０００８】
本発明の以下の記述から明らかであるこれらの及び他の目的及び利点は、各独立請求項に従うシステム及び方法により達成される。
【０００９】
好ましい実施例は、従属項に定義される。
【００１０】
領域を照明するための光源、その領域に関するロケーション情報を投影するためのポインターデバイス、そのロケーション情報を検出するためのコントローラ及び受信器を含む光制御のためのシステムが提供され、そのシステムは、その領域のロケーション情報の位置を決定するように構成され、且つ前記ロケーション情報により、その領域の照明を制御するように構成される。
【００１１】
本発明のシステムは、ユーザ−のシステムとの相互作用が改良される事、及びそのシステムは、照明された領域が画像投影表面であるビデオ投影器のような、数適用例に採用可能である事に利点がある。更に、低費用解決法を与える標準コンポーネント(component)からシステムを組み立てることは可能である。本発明のシステムは又、種々の現光源適用に適合可能である。
【００１２】
ロケーション情報は、そのロケーション情報の受信器検出を改良する領域の２次元象徴として投影可能である。
【００１３】
ロケーション情報の投影は、２次元図形に従い領域のロケーション情報を動かすステップを含むことができ、コントローラは、異なる動的ユーザー入力命令を提供するロケーション情報の動きパターンを解釈するように構成可能である。
【００１４】
光源は、領域の高度に多用途な照明を容易にする領域の下位領域用の照明特性を選択的に変化させるように構成可能である。
【００１５】
光源は、ロケーション情報の柔軟で選択可能な視覚化を提供するため、ロケーション情報の位置で領域の可視光を投影するように構成可能である。
【００１６】
ポインターデバイスは、ユーザーの都合で手で持ち運びできるユニットであっても良く、光源、受信器及び制御ユニットは、コンパクトな設計を提供するために１ユニットとして組み立て可能であっても良い。
【００１７】
受信器は、ロケーション情報を検出するために波長フィルターを含んでも良く、それは又、照明領域よりも大きい検出領域を含んでも良く、より頑丈なシステムであるのと同様に更にユーザーの友好性を改良する。
【００１８】
光源は、例えば照明領域の下位領域の特定の照明を容易にするために、光発光ダイオードとその光発光ダイオードの少なくとも１つから光を案内するための手段を含んでも良い。
【００１９】
本発明のもう１つの面に従い、以下のステップを含む照明制御の方法が提供される：光源によりある領域を照明するステップ；ポインターデバイスにより領域のロケーション情報を投影するステップ；受信器によりロケーション情報を検出するステップ；その領域のロケーション情報の位置を決定するステップ；及び前記ロケーション情報により、領域の照明を制御するステップ。
【００２０】
その方法のロケーション情報は、本発明のシステムと同様に、領域の２次元象徴として投影可能である。
【００２１】
そのロケーション情報を投影するステップは、２次元図形に従い領域のロケーション情報を動かすステップと、コントローラによりロケーション情報の動きパターンを解釈するステップを含むことができる。
【００２２】
その方法は更に、光源により、その領域の下位領域用の照明特性を選択的に変化させるステップを含む。
【００２３】
その方法は更に、光源により、その領域の、ロケーション情報の位置で可視光を投影するステップを含む。
【００２４】
本発明の方法は、本発明のシステムに関連する上述の如何なる機能をも一体化でき、同様の対応する利点を有する。
【００２５】
本発明の更なるもう１つの面に従い、ポインターデバイスは、如何なる上述の機能をも一体化する本発明のシステムで使用するために提供される。
【００２６】
本発明の実施例は、添付の図面を参照して詳細に説明される。
【図面の簡単な説明】
【００２７】
【図１】本発明のシステムの略図を示す。
【図２】照明ユニットの略図を示す。
【図３】ポインターデバイスの略図を示す。
【発明を実施するための形態】
【００２８】
図１は、光制御のためのシステムを示し、光源４、受信器５及びポインターデバイス６を含む。ポインターデバイス６は、例えば投影スクリーン上の光源４により作られた領域１０を指し示すために使用される。ポインターデバイス６は、領域１０に向かう方向に光線を発射する事により領域１０のロケーション情報１１を投影する。
【００２９】
受信器５は、照明領域１０に一致し、好ましくは照明領域１０より大きい検出領域１２を有する。受信器５は、検出領域１２に投影されたロケーション情報１１を従来の方法で検出でき、検出領域１２のロケーション情報１１の位置を決定できる。
【００３０】
図２は、１ユニット３に組み立てられた光源４と受信器５とを示す。制御ユニット７は、光源４及び受信器５に接続され且つそれらを制御する。光源４及び受信器５の検出領域からの光は、ユニット３に配置された光学手段１４により如何なる既知の及び適切な方法でも投影されるので、投影光と検出領域の間の固定関係が作られる。たとえ領域１０及び検出領域１２が図１にオフセットとして示されていても、それらは好ましくは、同じ発光点を有する事に注意されなければならない。光源は通常、ＬＥＤ１３のうちの１つからの光を導くように配置された複数のＬＥＤ１３と手段、例えば可動鏡（図示せず）を含む。
【００３１】
動作中、受信器５は連続して、制御ユニット７に検出領域１２に関するロケーション情報１１の位置を表す信号を提供し、領域１０と検出領域１２との間の関係が知られているので、制御ユニットは、領域１０のロケーション情報１１の位置のロケーションを決定する。
【００３２】
図３は、ポインター制御ユニット１６に接続されたキーボード１５を有するポインターデバイス６を示し、ポインター制御ユニット１６は次に、ロケーション情報１１の形で光を発する光源１７に接続される。放射光は、特定の波長又はパルスコード(pulse  code)を持ち、受信器５は、この波長／パルスコードを検出するように構成される。キーボード１５は、ユニット３に無線で送信される種々のユーザー入力命令を提供する。
【００３３】
光源４、受信器５、制御ユニット７、ポインター光源１７及びポインター制御ユニット１６は各々、従来の方法で組み立てられ、受信器５がポインター６により投影されたロケーション情報１１を検出できる限り、如何なる既知の受信器／ポインターの組み合わせをも使用できる。
【００３４】
述べたように、光源４は、組み合わされた光源４及び受信器５によりカバーされた全体領域１０の下位領域で発光するためにＬＥＤ１３のセットを含む。
【００３５】
システムは、領域１０の光特性を制御するために検出領域１２へポイントされたポインターデバイス６を従来の方法で使用するように構成され、且つ光源４の手段によりポイントされた位置１１を示すように構成される。
【００３６】
制御ユニット７は、ロケーション情報１１の位置又は一連の位置を表示領域１０に関連する前もって定められた命令に関連づけるように従来の方法で配置される。
【００３７】
受信器をポインターデバイス６に配置し、ロケーション情報投影器をユニット３に配置することは可能である。この場合、ポインターデバイス６は、標準通信手段、例えば無線周波数手段に一体化するので、決定されたポイントロケーションは、ユニット３に戻し送信可能で、受信器とロケーション情報投影器の両方の光学的配置は、照明領域１０が常に基準点であるように構成される。つまり、もしユニット３がロケーション情報のために投影器に一体化すれば、次にポインターデバイス６は、それが領域１０にポイントされる時に、検出できるロケーション情報のみ受けとる。勿論、受信器がポインターデバイス６に配置されロケーション情報がユニット３により投影されるとき、ポインター制御ユニット１６は、受信器を制御し、制御ユニット７は、ロケーション情報投影器を制御する。
【００３８】
言い換えると、そのユニットは、特定領域を照明するために、ＬＥＤのセットのような光源システム、及び向きを変えることができる鏡のような関連する既知のビーム操縦手段
を含み、前記特定領域の下位領域を選択的に照明する能力を有する。そのユニットは更に、前記特定領域のロケーション情報を投影するポイントされたロケーションシステムユニットを含む。ロケーション情報は、受信器の検出センサーにより検出され、ポイントされたロケーションシステムに送り返される。ポイントされたロケーションシステムは好ましくは、ユーザーのフィードバックのために、前記特定領域内のポイントされたロケーションのポイントされたロケーションインジケータ、例えば光点を作るため光源を制御する。ポイントされたロケーションインジケータは又、可視光を発するポインター光源の場合に、ポインター光源により提供されても良い。
【００３９】
円を描く動きのようなジェスチュアは、特定照明が望まれる下位領域を示すために用いられる。更なるジェスチュアは、光の特性の変化を更に示唆させることができる。この例は、下位領域に文字「Ｃ」を描くことは、ユーザーが上述の下位領域で照明の色を変えたい事を示唆できる事である。
【００４０】
代替的に、色事前設定のある選択は、ユーザーが好ましい事前設定を選ぶことができるように上述の特定領域でユーザーに呈示可能である。
【００４１】
本発明は、光照明の目的に使われるＬＥＤのセットと組み合わせて使われるポイントロケーションシステムにのみ適用されるものではなく、ポイントロケーションシステムは又、如何なる適切な表示投影器とも組み合わせて使用可能である。
【図１】
0005491182.tif 000002
【図２】
0005491182.tif 000003
【図３】
0005491182.tif 000004